(57)【特許請求の範囲】
【請求項１】
飲料を変化に富んだ飲み方ができる器において、形状の異なる縁状飲口(２)を複数組み合わせて、器（１）の上縁（１１）の等分割所要位置に設けたことを特徴とする形状の異なる複数の飲口を有する器。
【請求項２】
飲料を変化に富んだ飲み方ができる器において、中央部所要位置に注入口（１４）を設けた零れ防止カバー（６）の等分割所要位置に、形状の異なる孔状飲口（４）を複数組み合わせた各飲口の流出孔（７）を設け、この各流出孔（７）の周りに口唇部位置ガイド（１３）を設けた零れ防止カバー（６）を器（１）の上縁（１１）に取り付けたことを特徴とする形状の異なる複数の飲口を有する器。
【請求項３】
飲料を変化に富んだ飲み方ができる器において、中央部所要位置に注入口（１４）を設けた零れ防止カバー（６）の等分割所要位置に、形状の異なる突片孔状飲口（５）を複数組み合わせた各飲口の流出孔（７）を設け、この各流出孔（７）に飲料を流出さす各突片（１５）を設けた零れ防止カバー（６）を器（１）の上縁（１１）に取り付けたことを特徴とする形状の異なる複数の飲口を有する器。
【請求項４】
飲料を変化に富んだ飲み方ができる器において、所要部分切り欠いて注入口（１４）を設けた零れ防止カバー（６）の等分割所要位置に、筒状飲口（３）の流出孔（７）を設け、この流出孔（７）に飲料を流出さす流出筒（８）を設けた零れ防止カバー（６）を器（１）の上縁（１１）に取り付け、もう片方に零れ防止カバー（６）を所要部分切り欠いた注入口（１４）の外側（１０）方向上縁（１１）に、縁状飲口（２）を設けたことを特徴とする形状の異なる複数の飲口を有する器。  
【請求項５】
飲料を変化に富んだ飲み方ができる器において、所要部分切り欠いて注入口（１４）を設けた零れ防止カバー（６）の等分割所要位置に、孔状飲口（４）の流出孔（７）を設け、この流出孔（７）の周りに口唇部位置ガイド（１３）を設けた零れ防止カバー（６）を器（１）の上縁（１１）に取り付け、もう片方に零れ防止カバー（６）を所要部分切り欠いた注入口（１４）の外側（１０）方向上縁（１１）に、縁状飲口（２）を設けたことを特徴とする形状の異なる複数の飲口を有する器。
【請求項６】
飲料を変化に富んだ飲み方ができる器において、所要部分切り欠いて注入口（１４）を設けた零れ防止カバー（６）の等分割所要位置に、突片孔状飲口（５）の流出孔（７）を設け、この流出孔（７）に飲料を流出さす突片（１５）を設けた零れ防止カバー（６）を器（１）の上縁（１１）に取り付け、もう片方に零れ防止カバー（６）を所要部分切り欠いた注入口（１４）の外側（１０）方向上縁（１１）に、縁状飲口（２）を設けたことを特徴とする形状の異なる複数の飲口を有する器。
【請求項７】
飲料を変化に富んだ飲み方ができる器において、中央部所要位置に注入口（１４）を設けた零れ防止カバー（６）の等分割所要位置に、筒状飲口（３）と孔状飲口（４）の各流出孔（７）を設け、この筒状飲口（３）用の流出孔（７）に飲料を流出さす流出筒（８）を設け、一方孔状飲口（４）用の流出孔（７）の周りに口唇部位置ガイド（１３）を設けた零れ防止カバー（６）を器（１）の上縁（１１）に取り付けたことを特徴とする形状の異なる複数の飲口を有する器。
【請求項８】
飲料を変化に富んだ飲み方ができる器において、中央部所要位置に注入口（１４）を設けた零れ防止カバー（６）の等分割所要位置に、筒状飲口（３）と突片孔状飲口（５）の各流出孔（７）を設け、この筒状飲口（３）用の流出孔（７）に飲料を流出さす流出筒（８）を設け、一方突片孔状飲口（５）用の流出孔（７）に飲料を流出さす突片（１５）を設けた零れ防止カバー（６）を器（１）の上縁（１１）に取り付けたことを特徴とする形状の異なる複数の飲口を有する器。
【請求項９】
飲料を変化に富んだ飲み方ができる器において、中央部所要位置に注入口（１４）を設けた零れ防止カバー（６）の等分割所要位置に、孔状飲口（４）と突片孔状飲口（５）の各流出孔（７）を設け、この孔状飲口（４）用の流出孔（７）の周りに口唇部位置ガイド（１３）を設け、一方突片孔状飲口（５）用の流出孔（７）に飲料を流出さす突片（１５）を設けた零れ防止カバー（６）を器（１）の上縁（１１）に取り付けたことを特徴とする形状の異なる複数の飲口を有する器。
【請求項１０】
飲料を変化に富んだ飲み方ができる器において、所要部分切り欠いて注入口（１４）を設けた零れ防止カバー（６）の等分割所要位置に、筒状飲口（３）と孔状飲口（４）の各流出孔（７）を設け、この筒状飲口（３）用の流出孔（７）に飲料を流出さす流出筒（８）を設け、一方孔状飲口（４）用の流出孔（７）の周りに口唇部位置ガイド（１３）を設けた零れ防止カバー（６）を器（１）の上縁（１１）に取り付け、もう片方に零れ防止カバー（６）を所要部分切り欠いた注入口（１４）の外側（１０）方向上縁（１１）に、縁状飲口（２）を設けたことを特徴とする形状の異なる複数の飲口を有する器。
【請求項１１】
飲料を変化に富んだ飲み方ができる器において、所要部分切り欠いて注入口（１４）を設けた零れ防止カバー（６）の等分割所要位置に、筒状飲口（３）と突片孔状飲口（５）の各流出孔（７）を設け、この筒状飲口（３）用の流出孔（７）に飲料を流出さす流出筒（８）を設け、一方突片孔状飲口（５）用の流出孔（７）に飲料を流出さす突片（１５）を設けた零れ防止カバー（６）を器（１）の上縁（１１）に取り付け、もう片方に零れ防止カバー（６）を所要部分切り欠いた注入口（１４）の外側（１０）方向上縁（１１）に、縁状飲口（２）を設けたことを特徴とする形状の異なる複数の飲口を有する器。
【請求項１２】
飲料を変化に富んだ飲み方ができる器において、所要部分切り欠いて注入口（１４）を設けた零れ防止カバー（６）の等分割所要位置に、孔状飲口（４）と突片孔状飲口（５）の各流出孔（７）を設け、この孔状飲口（４）用の流出孔（７）の周りに口唇部位置ガイド（１３）を設け、一方突片孔状飲口（５）用の流出孔（７）に飲料を流出さす突片（１５）を設けた零れ防止カバー（６）を器（１）の上縁（１１）に取り付け、もう片方に零れ防止カバー（６）を所要部分切り欠いた注入口（１４）の外側（１０）方向上縁（１１）に、縁状飲口（２）設けたことを特徴とする形状の異なる複数の飲口を有する器。
【請求項１３】
飲料を変化に富んだ飲み方ができる器において、中央部所要位置に注入口（１４）を設けた零れ防止カバー（６）の等分割所要位置に、筒状飲口（３）と孔状飲口（４）と突片孔状飲口（５）の各流出孔（７）を設け、この筒状飲口（３）用の流出孔（７）に飲料を流出さす流出筒（８）を設け、一方孔状飲口（４）用の流出孔（７）の周りに口唇部位置ガイド（１３）を設け、もう一方の突片孔状飲口（５）用の流出孔（７）に飲料を流出さす突片（１５）を設けた零れ防止カバー（６）を器（１）の上縁（１１）に取り付けたことを特徴とする形状の異なる複数の飲口を有する器。
【請求項１４】
飲料を変化に富んだ飲み方ができる器において、所要部分切り欠いて注入口（１４）を設けた零れ防止カバー（６）の等分割所要位置に、筒状飲口（３）と孔状飲口（４）と突片孔状飲口（５）の各流出孔（７）を設け、この筒状飲口（３）用の流出孔（７）に飲料を流出さす流出筒（８）を設け、一方孔状飲口（４）用の流出口（７）の周りに口唇部位置ガイド（１３）を設け、もう一方の突片孔状飲口（５）用の流出口（７）に飲料を流出さす突片（１５）を設けた零れ防止カバー（６）を器（１）の上縁（１１）に取り付け、もう片方に零れ防止カバー（６）を所要部分切り欠いた注入口（１４）の外側（１０）方向上縁（１１）に、縁状飲口（２）を設けたことを特徴とする形状の異なる複数の飲口を有する器。
【請求項１５】
飲料を変化に富んだ飲み方ができる器において、器（１）に飲料を注入する注入口（１４）を設けた零れ防止カバー（６）に、筒状飲口（３）及び孔状飲口（４）及び突片孔状飲口（５）を設け、この零れ防止カバー（６）を器（１）の上縁（１１）に取り付けて、器（１）に筒状飲口（３）及び孔状飲口（４）及び突片孔状飲口（５）を設ける零れ防止カバー（６）を用いることを特徴とする形状の異なる複数の飲口を有する器。
【請求項１６】
飲口の口唇部を合わせる位置に口唇部位置ガイド（１３）を設けることを特徴とする請求項１ないし１４のいずれか一項記載の形状の異なる複数の飲口を有する器。
【発明の詳細な説明】
【技術分野】
【０００１】
本発明は飲料を飲む器に関するもので、特にアルコール飲料（日本酒、ビール、ワイン、ブランデー、焼酎、ウイスキー等及び焼酎及びウイスキー等の水割及び湯割も含む）を飲む器（杯、ぐい呑、湯割呑、水割呑、コップ、グラス、ジョッキ等）に関する。
【背景技術】
【０００２】
従来の飲料を飲む器の飲口としては、器１の上縁１１から飲む縁状飲口２があり、上縁１１の厚さが異なるが、飲口は同一形状からなる従来縁状飲口２ａ及び上縁１１が内側及び外側に同じ角度で反った同一形状からなる従来縁状飲口２ａ等があり、飲料の種類等によって器を選んでいた。
【０００３】
それと、器１に設けた流出筒８から飲む筒状飲口３として、一孔の筒状飲口からなる
乳児がミルクを飲む時に使用する哺乳瓶の哺乳瓶一孔筒状飲口（図示せず）及び薬を飲む時に使用する薬飲み器の薬飲み器一孔筒状飲口（図示せず）及びジュース及びお茶が入ったペットボトル容器の開け口が飲口となるペットボトル一孔筒状飲口（図示せず）がある。
【０００４】
また、器１に設けた流出孔７から飲む孔状飲口４として、一孔の孔状飲口からなる缶ジュース、缶コーヒ、缶ビール等のプルトップ缶の開け口の流出孔７が飲口となるプルトップ缶一孔状飲口（図示せず）がある。
【発明の開示】
【発明が解決しようとする課題】
【０００５】
通常、同一飲料を飲む時は、飲み始めから飲み終るまで同一飲口（従来の縁状飲口の場合は飲口の位置は問わない）からなる同一器を使用しており、飲んでいる途中で器を変更することは面倒で通常行われていなかった。
【０００６】
従来の従来縁状飲口２ａで飲料を飲む時は、口唇部が常時同一飲口にしか接しないので、口唇部に常時同じ触感しか得られず感覚が単調になる欠点があった。
【０００７】
また、従来の従来縁状飲口２ａは、器１の上縁１１と口唇部の上唇中央部の隙間形状の大きさ及び器１の飲料流出角度により、流出する飲料の流出形状（横断面形状）及び流出する流量が左右されるので、流出する飲料が口腔内に不安定（流出形状及び流出量が均一ではない）で流出する特徴があり、このために流出する飲料の流出形状及び流出量が、曖昧（ぼんやり）な感覚しか得られない欠点があった。
【０００８】
また、従来の従来縁状飲口２ａで、アルコール飲料（以後酒と言う）を飲む場合に、毎回同一飲口より飲むために何時も同じ飲み方になり、味わうのが単調で変化がない飲み方しか出来ない欠点があった。
【０００９】
また、酒等の嗜好品は、喉の渇きを潤わせる為だけでなくて、味覚（味覚器官に化学物質が刺激となって生じる感覚）、香り、コク（酒などの深みのある濃い味わい）、キレ（さっぱりしているさま、すっきり感）、のどごし（のどごしの感覚を味わうとともに、渇きが癒されることによる快感）等を嗜む（楽しむ）ものであり、同一種類の酒を毎回同一飲口から飲むので感覚がなれて、変化に富んだ一味違った味覚、香り、コク、キレ、のどごし等を味わうのに興味性がない欠点があった。
【００１０】
尚、縁状飲口２とは、飲口（器の飲料を飲むために口唇部がふれる部分）である器１の上部外側１０に下唇を押し付け、器１に入れた飲料を上縁１１より飲む箇所を言う。
【００１１】
次に筒状飲口３の哺乳瓶一孔筒状飲口及び薬飲み器一孔筒状飲口は、器の飲口以外は蓋をした状態で使用し、器に入れた飲料を流出させて飲むのではなく、飲口から吸うことにより飲料を飲んでいた。（ストローで飲むのも同じである）
【００１２】
また、開け口が飲口となる、ペットボトル一孔筒状飲口は、口唇部に何時も同一感触しか得られないのと、開け口がネジの為に飲口を銜えたときに、ネジ山のギザギザが口唇部に良い感触が得られない欠点があるのと、飲口の流出筒８が短かくて先端流出孔９が大きいので飲料を飲む時に、飲口を銜えた上唇で孔を半塞ぎにして、ペットボトル内の飲料を飲まなければいけない欠点があった。
【００１３】
また、哺乳瓶一孔筒状飲口及び薬飲み器一孔筒状飲口及びペットボトル一孔筒状飲口は飲料を飲む為の飲口であり、飲料をあじわい（おもむき、おもしろみ等）及び味わう（味のよさをたしなむ等）のには問題点があった。
【００１４】
それと、老人ホームで食事の介護をしているヘルパーの悩みは、入居者が食事の時にコップ等に入れたお茶及びジュース等をよく零すことがあり、お茶及びジュースを哺乳瓶及び薬飲み器で飲むのは子供や病人でないので嫌がり、器に入れたお茶等を零さず、飲むのに違和感がなく、楽しく飲むことができる飲口を有する器の開発が望まれていた。
【００１５】
尚、筒状飲口３とは、飲口の流出筒８を口唇部で銜え、器１を傾けると器１に入れた飲料を、先端流出孔９より飲む箇所を言う。
【００１６】
次に、孔状飲口４のプルトップ缶一孔状飲口は、口唇部に何時も同一感触しか得られない欠点と、金属の開け口が薄くて鋭利な為に下唇を傷つける恐れがある欠点と、また上唇には折り曲げたプルトップが触れるので、飲口に押し当てた口唇部に良い感触が得られない欠点があり、この飲口は唯飲料を飲む為の飲口であり、飲料をあじわい及び味わうのには問題点があった。
【００１７】
尚、孔状飲口４とは、飲口に口唇部を押し付け、器１を傾けると器１に入れた飲料を流出孔７より飲む箇所を言う。
【００１８】
それと、口腔内では口唇部と舌先部の触圧覚が最も鋭敏であることが、口腔医療関係者には常識として知られており、飲口にできるだけ多く口唇部を接触させて、触圧覚により感覚を高め、特に嗜好品である酒等を味わいながら楽しく飲むことができる飲口を有する器１の開発が望まれていた。
【００１９】
また、飲料を直接のどに流し込むことができることにより、一味変わったのどごしを楽しむことができる飲口を有する器１の必要があり望まれていた。
【００２０】
また、飲料を口腔内に薄くて幅広く流出させることができことにより、コク及びキレ及び香りをより一層楽しむことができる飲口を有する器１の開発の要望があった。
【００２１】
また、口腔内に流出する飲料の流出形状及び流出量が、安定して口腔内に流出させることができることにより、味覚器の触覚をより一層起こさせることにより、感覚を高める飲口を有する器１が要望されていた。
【００２２】
また、飲口より口腔内に流出する飲料の流出形状（筋状とか幅広状）、流出流量（少ない、多い）、流出位置（前方、後方または側方）等の流出状態の違いを楽しむことができる飲口を有する器１の開発が望まれていた。
【課題を解決するための手段】
【００２３】
上記目的を達成するために、本発明の形状の異なる複数の飲口を有する器１としては、形状の異なる縁状飲口２を複数組み合わせて、器１の上縁１１の等分割所要位置に設けるとよい。  
【００２４】
【００２５】
また、中央部所要位置に注入口１４を設けた零れ防止カバー６の等分割所要位置に、形状の異なる孔状飲口４を複数組み合わせた各飲口の流出孔７を設け、この各流出孔７の周りに口唇部位置ガイド１３を設けた零れ防止カバー６を器１の上縁１１に取り付けるとよい。          
【００２６】
また、中央部所要位置に注入口１４を設けた零れ防止カバー６の等分割所要位置に、形状の異なる突片孔状飲口５を複数組み合わせた各飲口の流出孔７を設け、この各流出孔７に飲料を流出さす各突片１５を設けた零れ防止カバー６を器１の上縁１１に取り付けるとよい。
【００２７】
また、所要部分切り欠いて注入口１４を設けた零れ防止カバー６の等分割所要位置に、筒状飲口３の流出孔７を設け、この流出孔７に飲料を流出さす流出筒８を設けた零れ防止カバー６を器１の上縁１１に取り付け、もう片方に零れ防止カバー６を所要部分切り欠いた注入口１４の外側１０方向上縁１１に縁状飲口２を設けるとよい。
【００２８】
また、所要部分切り欠いて注入口１４を設けた零れ防止カバー６の等分割所要位置に、孔状飲口４の流出孔７を設け、この流出孔７の周りに口唇部位置ガイド１３を設けた零れ防止カバー６を器１の上縁１１に取り付け、もう片方に零れ防止カバー６を所要部分切り欠いた注入口１４の外側１０方向上縁１１に縁状飲口２を設けるとよい。
【００２９】
また、所要部分切り欠いて注入口１４を設けた零れ防止カバー６の等分割所要位置に、突片孔状飲口５の流出孔７を設け、この流出孔７に飲料を流出さす突片１５を設けた零れ防止カバー６を器１の上縁１１に取り付け、もう片方に零れ防止カバー６を所要部分切り欠いた注入口１４の外側１０方向上縁１１に縁状飲口２を設けるとよい。
【００３０】
また、中央部所要位置に注入口１４を設けた零れ防止カバー６の等分割所要位置に、筒状飲口３と孔状飲口４の各流出孔７を設け、この筒状飲口３用の流出孔７に飲料を流出さす流出筒８を設け、一方孔状飲口４用の流出孔７の周りに口唇部位置ガイド１３を設けた零れ防止カバー６を器１の上縁１１に取り付けるとよい。
【００３１】
また、中央部所要位置に注入口１４を設けた零れ防止カバー６の等分割所要位置に、筒状飲口３と突片孔状飲口５の各流出孔７を設け、この筒状飲口３用の流出孔７に飲料を流出さす流出筒８を設け、一方突片孔状飲口５用の流出孔７に飲料を流出さす突片１５を設けた零れ防止カバー６を器１の上縁１１に取り付けるとよい。
【００３２】
また、中央部所要位置に注入口１４を設けた零れ防止カバー６の等分割所要位置に、孔状飲口４と突片孔状飲口５の各流出孔７を設け、この孔状飲口４用の流出孔７の周りに口唇部位置ガイド１３を設け、一方突片孔状飲口５用の流出孔７に飲料流出さす突片１５を設けた零れ防止カバー６を器１の上縁１１に取り付けるとよい。
【００３３】
また、所要部分切り欠いて注入口１４を設けた零れ防止カバー６の等分割所要位置に、筒状飲口３と孔状飲口４の各流出孔７を設け、この筒状飲口３用の流出孔７に飲料を流出さす流出筒８を設け、一方孔状飲口４用の流出孔７の周りに口唇部位置ガイド１３を設けた零れ防止カバー６を器１の上縁１１に取り付け、もう片方に零れ防止カバー６を所要部分切り欠いた注入口１４の外側１０方向上縁１１に縁状飲口２を設けるとよい。
【００３４】
また、所要部分切り欠いて注入口１４を設けた零れ防止カバー６の等分割所要位置に、筒状飲口３と突片孔状飲口５の各流出孔７を設け、この筒状飲口３用の流出孔７に飲料を流出さす流出筒８を設け、一方突片孔状飲口５用の流出孔７に飲料を流出さす突片１５を設けた零れ防止カバー６を器１の上縁１１に取り付け、もう片方に零れ防止カバー６を所要部分切り欠いた注入口１４の外側１０方向上縁１１に縁状飲口２を設けるとよい。
【００３５】
また、所要部分切り欠いて注入口１４を設けた零れ防止カバー６の等分割所要位置に、孔状飲口４と突片孔状飲口５の各流出孔７を設け、この孔状飲口４用の流出孔７の周りに口唇部位置ガイド１３を設け、一方突片孔状飲口５用の流出孔７に飲料を流出さす突片１５を設けた零れ防止カバー６を器１の上縁１１に取り付け、もう片方に零れ防止カバー６を所要部分切り欠いた注入口１４の外側１０方向上縁１１に縁状飲口２設けるとよい。
【００３６】
また、中央部所要位置に注入口１４を設けた零れ防止カバー６の等分割所要位置に、筒状飲口３と孔状飲口４と突片孔状飲口５の各流出孔７を設け、この筒状飲口３用の流出孔７に飲料を流出さす流出筒８を設け、一方孔状飲口４用の流出孔７の周りに口唇部位置ガイド１３を設け、もう一方の突片孔状飲口５用の流出孔７に飲料を流出さす突片１５を設けた零れ防止カバー６を器１の上縁１１に取り付けるとよい。
【００３７】
また、所要部分切り欠いて注入口１４を設けた零れ防止カバー６の等分割所要位置に、筒状飲み口３と孔状飲口４と突片孔状飲口５の各流出孔７を設け、この筒状飲口３用の流出孔７に飲料を流出さす流出筒８を設け、一方孔状飲口４用の流出口７の周りに口唇部位置ガイド１３を設け、もう一方の突片孔状飲口５用の流出口７に飲料を流出さす突片１５を設けた零れ防止カバー６を器１の上縁１１に取り付け、もう片方に零れ防止カバー６を所要部分切り欠いた注入口１４の外側１０方向上縁１１に、縁状飲口２を設けるとよい。
【００３８】
また、器１に飲料を注入する注入口１４を設けた零れ防止カバー６に、筒状飲口３及び孔状飲口４及び突片孔状飲口５を設け、この零れ防止カバー６を器１の上縁１１に取り付けて、器１に筒状飲口３及び孔状飲口４及び突片孔状飲口５を設ける零れ防止カバー６を用いるとよい。
【００３９】
また、飲口の口唇部を合わせる位置に口唇部位置ガイド１３を設けるとよい。
【発明の効果】
【００４０】
本発明は、以下に記載されるような効果を奏する。
【００４１】
請求項１によれば、従来縁状飲口２ａに平板突片１５ｂ及び半円突片１５ｃ及び波板突片１５ｄを設けた形状の異なる縁状飲口２にすることで、従来縁状飲口２ａに比べて各突片１５に口唇部をより多く接触することができるので、従来縁状飲口２ａより触圧覚が多くなり感覚を高めることができ、また口腔内に流出する飲料を飲み比べることが可能となり、従来縁状飲口２ａの同一飲口だけから飲むのと比べて変化に富んだ飲み方ができ、飲む楽しみが増大する効果がある。
【００４２】
また、従来縁状飲口２ａに平板突片１５ｂを設けた平板突片縁状飲口２ｂにすることにより、器１の上縁１１と平板突片１５ｂとの段差２０が、上縁１１と口唇部の上唇中央部の隙間形状の大きさとなり、器１の飲料が平板突片１５ｂの平板上面を流動し、平板形状の幅広状で安定して口腔内に流出させることができる利点があり、このために所要の幅広状で安定して流出する飲料をはっきりと触覚することができる効果がある。
【００４３】
また、従来縁状飲口２ａに半円突片１５ｃを設けた半円突片縁状飲口２ｃにすることにより、器１の上縁１１と半円突片１５ｃとの段差２０が、上縁１１と口唇部の上唇中央部の隙間形状の大きさとなり、器１の飲料が半円突片１５ｃの半円内を流動し、半円形状の一筋状で安定して口腔内に流出させることができる利点があり、このために所要の半円形状の一筋状で流出する飲料をはっきりと触覚することができる効果がある。
【００４４】
また、従来縁状飲口２ａに波板突片１５ｄを設けた波板突片縁状飲口２ｄにすることにより、器１の上縁１１と波板突片１５ｄとの段差２０が、上縁１１と口唇部の上唇中央部の隙間形状の大きさとなり、器１の飲料が波板突片１５ｄの二つの半円内を流動し、半円形状の二筋状で安定して口腔内に流出させることができる利点があり、このために所要の半円形状の二筋状で流出する飲料をはっきりと触覚することができる効果がある。
【００４５】
尚、従来縁状飲口２ａより流出する飲料は、口腔内の前方に流出するが、各突片１５を設けた飲口は突片１５の先端流出部１６より流出するので、従来縁状飲口２ａより飲料を後方に流出させる効果がある。
【００４６】
他の例によれば、形状の異なる筒状飲口３の一孔筒状飲口３ａより二孔からなる二孔筒状飲口３ｂ及び三孔からなる三孔筒状飲口３ｃ及び横長孔からなる横長孔筒状飲口３ｄは筒状飲口３の表面積が大きくなり、筒状飲口３に口唇部をより多く接触することができるので、一孔筒状飲口３ａに比べて触圧覚が多くなり感覚を高めることができ、また口腔内に流出する飲料の違いを、飲み比べることが可能となり、変化に富んだ飲み方ができ、飲む楽しみが増大する効果がある。
【００４７】
尚、一孔筒状飲口３ａは、器１の飲料が流出筒８の一個の先端流出孔９より孔形状の一筋状で安定して口腔内に流出させることができる利点があり、このために所要の孔形状の一筋状で流出する飲料をはっきりと触覚することができる効果がある。
【００４８】
また、二孔筒状飲口３ｂにすることにより、器１の飲料が流出筒８の二個の先端流出孔９より孔形状の二筋状で安定して口腔内に流出させることができる利点があり、このために所要の孔形状の二筋状で流出する飲料をはっきりと触覚することができる効果がある。
【００４９】
また、三孔筒状飲口３ｃにすることにより、器１の飲料が流出筒８の三個の先端流出孔９より孔形状の三筋状で安定して口腔内に流出させることができる利点があり、このために所要の孔形状の三筋状で流出する飲料をはっきりと触覚することができる効果がある。
【００５０】
また、横長孔筒状飲口３ｄにすることにより、器１の飲料が流出筒８の先端流出孔９より横長孔形状の幅広状で安定して口腔内に流出させることができる利点があり、このために所要の横長孔形状の幅広状で流出する飲料をはっきりと触覚することができる効果がある。
【００５１】
尚、筒状飲口３は、形状の異なる流出筒８の長さ及び流出筒８を銜える位置や角度により、口腔内に流出する飲料を自由にコントロールすることができるので、飲料を口腔内の前方及び後方及び側方にでも自由に流出させることができる利点がある。
【００５２】
請求項２によれば、形状の異なる孔状飲口４の一孔からなる一孔状飲口４ａより二孔からなる二孔状飲口４ｂ及び三孔からなる三孔状飲口３ｃ及び横長孔からなる横長孔状飲口４ｄは孔状飲口４の面積が大きくなり、孔状飲口４に口唇部をより多く接触することができるので、一孔状飲口４ａに比べて触圧覚が多くなり感覚を高めることができ、また口腔内に流出する飲料を飲み比べることが可能となり、変化に富んだ飲み方ができ、飲む楽しみが増大する効果がある。
【００５３】
尚、一孔からなる一孔状飲口４ａは、器１の飲料が一個の流出孔７より孔形状の一筋状で安定して口腔内に流出させることができる利点があり、このために所要の孔形状の一筋状で流出する飲料をはっきりと触覚することができる効果がある。
【００５４】
また、二孔状飲口４ｂにすることにより、器１の飲料が二個の流出孔７より孔形状の二筋状で安定して口腔内に流出させることができる利点があり、このために所要の孔形状の二筋状で流出する飲料をはっきりと触覚することができる効果がある。
【００５５】
また、三孔状飲口４ｃにすることにより、器１の飲料が三個の流出孔７より孔形状の三筋状で安定して口腔内に流出させることができる利点があり、このために所要の孔形状の三筋状で流出する飲料をはっきりと触覚することができる効果がある。
【００５６】
また、横長孔状飲口４ｄにすることにより、器１の飲料が横長流出孔７より横長形状の幅広状で安定して口腔内に流出させることができる利点があり、このために所要の横長孔形状の幅広状で流出する飲料をはっきりと触覚することができる効果と、上記孔状飲口２は構造が簡単であり、製作が容易に行うことができる利点もある。
【００５７】
請求項３によれば、横長孔状飲口４ｄに弓板突片１５ａ及び平板突片１５ｂ及び波板突片１５ｄを設けた形状の異なる突片孔状飲口５にすることで、横長孔状飲口４ｄに比べて各突片１５に口唇部をより多く接触することができるので、横長孔状飲口４ｄより蝕圧覚が多くなり感覚を高めることができ、また口腔内に流出する飲料を飲み比べることが可能になり、変化に富んだ飲み方ができ、飲む楽しさが増大する効果がある。
【００５８】
また、一孔状飲口４ａに半円突片１５ｃを設けた半円突片孔状飲口５ｃにすることで
一孔状飲口４ａに比べて、半円突片１５ｃに口唇部をより多く接触することができるので、一孔状飲口４ａより蝕圧覚が多くなり感覚を高めることができ、また口腔内に流出する飲料を飲み比べることが可能となり、変化に富んだ飲み方でき、飲む楽しみが増大する効果がある。
【００５９】
尚、形状の異なる突片孔状飲口５とは、飲口に突片１５を銜えて口唇部を押し付け、器１を傾けると器１に入れた飲料を、流出孔７より飲む箇所を言う。
【００６０】
また、横長孔状飲口４ｄに弓板突片１５ａを設けた弓板突片孔状飲口５ａとすることにより、器１の飲料が流出孔７より弓板突片１５ａを流動し、弓板形状の中央部が厚くて両端が薄い幅広状で、安定して口腔内に流出させることができる利点があり、このために所要の弓板形状の中央部が厚くて両端が薄い幅広状で、流出する飲料をはっきりと触覚することができる効果がある。
【００６１】
また、横長孔状飲口４ｄに平板突片１５ｂを設けた平板突片孔状飲口５ｂとすることにより、器１の飲料が流出孔７より平板突片１５ｂを流動し、平板形状の幅広状で安定して口腔内に流出させることができる利点があり、このために所要の平板形状の幅広状で流出する飲料をはっきりと触覚することができる効果がある。
【００６２】
また、横長孔状飲口４ｄに波板突片１５ｄを設けた波板突片孔状飲口５ｄにすることにより、器１の飲料が流出孔７より波板突片１５ｄを流動し、半円形状の二筋状で安定して口腔内に流出させることができる利点があり、このために所要の半円形状の二筋状で流出する飲料を、はっきりと触覚することができる効果がある。
【００６３】
また、一孔状飲口４ａに半円突片１５ｃを設けた半円突片孔状飲口５ｃにすることにより、器１の飲料が流出孔７より半円突片１５ｃの半円内を流動し、半円形状の一筋状で安定して口腔内に流出させることができる利点があり、このために所要の半円形状の一筋状で流出する飲料をはっきりと触覚することができる効果がある。
【００６４】
よって、飲口に流出筒８と突片１５を設けた半円突片縁状飲口２ｃと波板突片縁状飲口２ｄと一孔筒状飲口３ａと二孔筒状飲口３ｂと三孔筒状飲口３ｃと半円突片孔状飲口５ｃと波板突片孔状飲口５ｄは、飲料を直接口腔内の後方に流出させることが可能となり、喉の奥にある味蕾は、水及び二酸化炭素によく応答するので水及びビール等の一味変わった、のどごしを楽しむことが可能で、特にビールには好適である。
【００６５】
尚、上記飲口の流出筒８及び突片１５を設けた器１を、ビールの研究開発及び品質管理の官能テスト用として利用することも可能で、のどごし等の官能テストを容易に行うことができる多数の効果を奏する。
【００６６】
また、飲口に流出筒８と突片１５を設けた平板突片縁状飲口２ｂと横長孔筒状飲口３ｄと横長孔状飲口４ｄと弓板突片孔状飲口５ａと平板突片孔状飲口５ｂは、飲料を直接口腔内に薄く幅広状に流出させることが可能な為に、特に酒のコク及びキレ及び香りを、より一層楽しむことができる著しい効果があるのと、また嗜好品であるコーヒ及び紅茶及び日本茶の口腔内から鼻腔に抜ける香りを、より一層楽しむことができる著しい効果もある。
【００６７】
そして、飲口に流出筒８と突片１５を設けた平板突片縁状飲口２ｂと横長孔筒状飲口３ｄと横長孔状飲口４ｄと弓板突片孔状飲口５ａと平板突片孔状飲口５ｂは、飲料を直接口腔内に薄く幅広状に流出させることが可能な為に、酒の品質（コク及びキレ及び香り等）の研究開発及び品質管理において、コク及びキレ及び香り等の官能テストを容易に行うことができるので、官能テスト用として用いることも可能である。
【００６８】
請求項４によれば、形状の異なる縁状飲口２の従来縁状飲口２ａ及び［００４１］、［００４２］、［００４３］、［００４４］、［００４５］に記載の平板突片縁状飲口２ｂ及び半円突片縁状飲口２ｃ及び波板突片縁状飲口２ｄを、使用目的等により何れか一種類の飲口を選定して用いる（以後、何れか一種類の飲口と言う）のと、形状の異なる筒状飲口３の［００４６］、［００４７］、［００４８］、［００４９］、［００５０］、［００５１］に記載の一孔筒状飲口３ａ及び二孔筒状飲口３ｂ及び三孔筒状飲口３ｃ及び横長孔筒状飲口３ｄの何れか一種類の飲口とを、組み合わせて設けた器１にすることにより、口腔内に流出する飲料の流出形状及び流出量の違いを飲み比べることが可能となり、形状の異なる縁状飲口２だけのときよりも、一段と変化に富んだ飲み方ができ、飲む楽しみが増大する効果がある。
【００６９】
請求項５によれば、形状の異なる縁状飲口２の従来縁状飲口２ａ及び［００４１］、［００４２］、［００４３］、［００４４］、［００４５］に記載の平板突片縁状飲口２ｂ及び半円突片縁状飲口２ｃ及び波板突片縁状飲口２ｄの何れか一種類の飲口と、形状の異なる孔状飲口４の［００５２］、［００５３］、［００５４］、［００５５］、［００５６］に記載の一孔状飲口４ａ及び二孔状飲口４ｂ及び三孔状飲口４ｃ及び横長孔状飲口４ｄの何れか一種類の飲口とを、組み合わせて設けた器１にすることにより、口腔内に流出する飲料の流出形状及び流出量の違いを、飲み比べることが可能となり、縁状飲口２だけのときよりも、より一段と変化に富んだ飲み方ができ、飲む楽しみが増大する効果がある。
【００７０】
請求項６によれば、形状の異なる縁状飲口２の従来縁状飲口２ａ及び［００４１］、［００４２］、［００４３］、［００４４］、［００４５］に記載の平板突片縁状飲口２ｂ及び半円突片縁状飲口２ｃ及び波板突片縁状飲口２ｄの何れか一種類の飲口と、形状の異なる突片孔状飲口５の［００５７］、［００５８］、［００５９］、［００６０］、［００６１］、［００６２］、［００６３］に記載の弓板突片孔状飲口５ａ及び平板突片孔状飲口５ｂ及び半円突片孔状飲口５ｃ及び波板突片孔状飲口５ｄの何れか一種類の飲口とを、組み合わせて設けた器１にすることにより、口腔内に流出する飲料の流出形状及び流出量の違いを、飲み比べることが可能となり、縁状飲口２だけのときよりも、一段と変化に富んだ飲み方ができ、飲む楽しみが増大する効果がある。
【００７１】
請求項７によれば、形状の異なる筒状飲口３の［００４６］、［００４７］、［００４８］、［００４９］、［００５０］、［００５１］に記載の一孔筒状飲口３ａ及び二孔筒状飲口３ｂ及び三孔筒状飲口３ｃ及び横長孔筒状飲口３ｄの何れか一種類の飲口と、形状の異なる孔状飲口４の［００５２］、［００５３］、［００５４］、［００５５］、［００５６］に記載の一孔状飲口４ａ及び二孔状飲口４ｂ及び三孔状飲口４ｃ及び横長孔状飲口４ｄの何れか一種類の飲口とを、組み合わせて設けた器１にすることにより、口腔内に流出する飲料の流出形状及び流出量の違いを、飲み比べることが可能となり、筒状飲口３だけのときよりも、一段と変化に富んだ飲み方ができ、飲む楽しみが増大する効果がある。
【００７２】
請求項８によれば、形状の異なる筒状飲口３の［００４６］、［００４７］、［００４８］、［００４９］、［００５０］、［００５１］に記載の一孔筒状飲口３ａ及び二孔筒状飲口３ｂ及び三孔筒状飲口３ｃ及び横長孔筒状飲口３ｄの何れか一種類の飲口と、形状の異なる突片孔状飲口５の［００５７］、［００５８］、［００５９］、［００６１］、［００６２］、［００６３］に記載の弓板突片孔状飲口５ａ及び平板突片孔状飲口５ｂ及び半円突片孔状飲口５ｃ及び波板突片孔状飲口５ｄの何れか一種類の飲口とを、組み合わせて設けた器１にすることにより、口腔内に流出する飲料の流出形状及び流出量の違いを、飲み比べることが可能となり、筒状飲口３だけのときよりも、一段と変化に富んだ飲み方ができ、飲む楽しみが増大する効果がある。
【００７３】
請求項９によれば、形状の異なる孔状飲口４の［００５２］、［００５３］、［００５４］、［００５５］、［００５６］に記載の一孔状飲口４ａ及び二孔状飲口４ｂ及び三孔状飲口４ｃ及び横長孔状飲口４ｄの何れか一種類の飲口と、形状の異なる突片孔状飲口５の［００５７］、［００５８］、［００５９］、［００６１］、［００６２］、［００６３］に記載の弓板突片孔状飲口５ａ及び平板突片孔状飲口５ｂ及び半円突片孔状飲口５ｃ及び波板突片孔状飲口５ｄの何れか一種類の飲口とを、組み合わせて設けた器１にすることにより、口腔内に流出する飲料の流出形状及び流出量の違いを、飲み比べることが可能となり、孔状飲口４だけのときよりも、一段と変化に富んだ飲み方ができ、飲む楽しみが増大する効果がある。
【００７４】
請求項１０によれば、形状の異なる縁状飲口２の従来縁状飲口２ａ及び［００４１］、［００４２］、［００４３］、［００４４］、［００４５］に記載の平板突片縁状飲口２ｂ及び半円突片縁状飲口２ｃ及び波板突片縁状飲口２ｄの何れか一種類の飲口と、形状の異なる筒状飲口３の［００４６］、［００４７］、［００４８］、［００４９］、［００５０］、［００５１］に記載の一孔筒状飲口３ａ及び二孔筒状飲口３ｂ及び三孔筒状飲口３ｃ及び横長孔筒状飲口３ｄの何れか一種類の飲口と、形状の異なる孔状飲口４の［００５２］、［００５３］、［００５４］、［００５５］、［００５６］に記載の一孔状飲口４ａ及び二孔状飲口４ｂ及び三孔状飲口４ｃ及び横長孔状飲口４ｄの何れか一種類の飲口とを、組み合わせて設けた器１にすることにより、口腔内に流出する飲料の流出形状及び流出量の違いを、飲み比べることが可能となり、縁状飲口２と筒状飲口４だけのときよりも、なお一段と変化に富んだ飲み方ができ、飲む楽しみが増大する効果がある。
【００７５】
請求項１１によれば、形状の異なる縁状飲口２の従来縁状飲口２ａ及び［００４１］、［００４２］、［００４３］、［００４４］、［００４５］に記載の平板突片縁状飲口２ｂ及び半円突片縁状飲口２ｃ及び波板突片縁状飲口２ｄの何れか一種類の飲口と、形状の異なる筒状飲口３の［００４６］、［００４７］、［００４８］、［００４９］、［００５０］、［００５１］に記載の一孔筒状飲口３ａ及び二孔筒状飲口３ｂ及び三孔筒状飲口３ｃ及び横長孔筒状飲口３ｄの何れか一種類の飲口と、形状の異なる突片孔状飲口５の［００５７］、［００５８］、［００５９］、［００６１］、［００６２］、［００６３］に記載の弓板突片孔状飲口５ａ及び平板突片孔状飲口５ｂ及び半円突片孔状飲口５ｃ及び波板突片孔状飲口５ｄの何れか一種類の飲口とを、組み合わせて設けた器１にすることにより、口腔内に流出する飲料の流出形状及び流出量の違いを、飲み比べることが可能となり、縁状飲口２と筒状飲口４だけのときよりも、なお一段と変化に富んだ飲み方ができ、飲む楽しみが増大する効果がある。
【００７６】
請求項１２によれば、形状の異なる縁状飲口２の従来縁状飲口２ａ及び［００４１］、［００４２］、［００４３］、［００４４］、［００４５］に記載の平板突片縁状飲口２ｂ及び半円突片縁状飲口２ｃ及び波板突片縁状飲口２ｄの何れか一種類の飲口と、形状の異なる孔状飲口４の［００５２］、［００５３］、［００５４］、［００５５］、［００５６］に記載の一孔状飲口４ａ及び二孔状飲口４ｂ及び三孔状飲口４ｃ及び横長孔状飲口４ｄの何れか一種類の飲口と、形状の異なる突片孔状飲口５の［００５７］、［００５８］、［００５９］、［００６１］、［００６２］、［００６３］に記載の弓板突片孔状飲口５ａ及び平板突片孔状飲口５ｂ及び半円突片孔状飲口５ｃ及び波板突片孔状飲口５ｄの何れか一種類の飲口とを、組み合わせて設けた器１にすることにより、口腔内に流出する飲料の流出形状及び流出量の違いを、飲み比べることが可能となり、縁状飲口２と孔状飲口４だけのときよりも、なお一段と変化に富んだ飲み方ができ、飲む楽しみが増大する効果がある。
【００７７】
請求項１３によれば、形状の異なる筒状飲口３の［００４６］、［００４７］、［００４８］、［００４９］、［００５０］、［００５１］に記載の一孔筒状飲口３ａ及び二孔筒状飲口３ｂ及び三孔筒状飲口３ｃ及び横長孔筒状飲口３ｄの何れか一種類の飲口と、形状の異なる孔状飲口４の［００５２］、［００５３］、［００５４］、［００５５］、［００５６］に記載の一孔状飲口４ａ及び二孔状飲口４ｂ及び三孔状飲口４ｃ及び横長孔状飲口４ｄの何れか一種類の飲口と、形状の異なる突片孔状飲口５の［００５７］、［００５８］、［００５９］、［００６１］、［００６２］、［００６３］に記載の弓板突片孔状飲口５ａ及び平板突片孔状飲口５ｂ及び半円突片孔状飲口５ｃ及び波板突片孔状飲口５ｄの何れか一種類の飲口とを、組み合わせて設けた器１にすることにより、口腔内に流出する飲料の流出形状及び流出量の違いを、飲み比べることが可能となり、筒状飲口３と孔状飲口４だけのときよりも、なお一段と変化に富んだ飲み方ができ、飲む楽しみが増大する効果がある。
【００７８】
請求項１４によれば、形状の異なる縁状飲口２の従来縁状飲口２ａ及び［００４１］、［００４２］、［００４３］、［００４４］、［００４５］に記載の平板突片縁状飲口２ｂ及び半円突片縁状飲口２ｃ及び波板突片縁状飲口２ｄの何れか一種類の飲口と、形状の異なる筒状飲口３の［００４６］、［００４７］、［００４８］、［００４９］、［００５０］、［００５１］に記載の一孔筒状飲口３ａ及び二孔筒状飲口３ｂ及び三孔筒状飲口３ｃ及び横長孔筒状飲口３ｄの何れか一種類の飲口と、形状の異なる孔状飲口４の［００５２］、［００５３］、［００５４］、［００５５］、［００５６］に記載の一孔状飲口４ａ及び二孔状飲口４ｂ及び三孔状飲口４ｃ及び横長孔状飲口４ｄの何れか一種類の飲口と、形状の異なる突片孔状飲口５の［００５７］、［００５８］、［００５９］、［００６１］、［００６２］、［００６３］に記載の弓板突片孔状飲口５ａ及び平板突片孔状飲口５ｂ及び半円突片孔状飲口５ｃ及び波板突片孔状飲口５ｄの何れか一種類の飲口とを、組み合わせて設けた器１にすることにより、口腔内に流出する飲料の流出形状及び流出量の違いを、飲み比べることが可能となり、縁状飲口２と筒状飲口３と孔状飲口４だけのときよりも、なお一段と変化に富んだ飲み方ができ、飲む楽しみが増大する効果がある。
【００７９】
【００８０】
請求項１５によれば、零れ防止カバー６に、筒状飲口３及び孔状飲口４及び突片孔状飲口５を設け、この零れ防止カバー６を器１の上縁１１に取り付けた器１にすると、飲料を入れる器１の部分と、筒状飲口３及び孔状飲口４及び突片孔状飲口５を設けた零れ防止カバー６の部分を別々に製作し、後でこの零れ防止カバー６を器１の上縁１１に取り付けて一体化することにより、形状の異なる複数の飲口を設けた器が簡単容易に製作することができる利点がある。
【００８１】
また、筒状飲口３及び孔状飲口４及び突片孔状飲口５を設けた零れ防止カバー６に、飲料を注入する注入口１４を設けることにより、器１にスムーズな注入作業及び注入状況及び残量の確認ができる効果がある。
【００８２】
また、図９及び図１０に示すように、零れ防止カバー６を器１の外側１０より広くした把手部１８を設けることにより、両手で把手部１８を握って器１を傾けたり、また片手で器１の外側１０を親指とその他の指で挟み、親指と人差し指で把手部１８の下側を支えることにより、器１を手から滑って落とすことなく器１に入れた飲料を飲むことができ、単純でデザイン的にも優れた把手部１８の製作が簡単容易にできる多数の効果を奏する。
【００８３】
また、図８に示すように、零れ防止カバー６を器１の外側１０より広くした雌螺子部１９ａ設け、一方の器１の外側１０の上部に雄螺子部１９ｂを設けることにより、形状の異なる複数の飲口を設けた零れ防止カバー６と器１が着脱自在となり、零れ防止カバー６の裏側や器１の内側１２の洗浄が簡単容易にできる効果がある。
【００８４】
また、使用目的により雄螺子部１９ｂを設けた器１に、組み合わせの異なる複数の飲口を持つ別の雌螺子部１９ａ設けた零れ防止カバー６を取り付けて飲料を楽しむことも可能になる。
【００８５】
請求項１６によれば、飲口に設けた口唇部位置ガイド１３に口唇部を合わせることにより、最適な位置から器１の飲料を飲むことができる効果がある。
【００８６】
また、飲口に設けた口唇部位置ガイド１３にも、口唇部を多く接触させることができるので、口唇部の触圧覚がより多くなり、感覚を一段と高める効果がある。
【００８７】
【００８８】
また、突片１５及び流出筒８を設けた飲口においては、突片１５及び流出筒８を取り付けた取付部１７に口唇部位置ガイド１３を設けることにより、取付部１７の補強ができる利点がある。
【００８９】
そして、コップ等に入れたお茶及びジュース等をよく零すことがある高齢者には、筒状飲口３及び孔状飲口４を複数設けた零れ防止カバー６に把手部１８及び雌螺子部１９ａ設け、一方に雄螺子部１９ｂを設けた器１を提供することにより、器１に入れたお茶及びジュース等を零さずに、飲むのに違和感がなく、楽しく飲むことができ、器１を手から滑って落とすことなく、器１の洗浄が簡単容易にでき、実用価値が大となる。
【００９０】
本発明は、以上のような効果と利点を有したきわめて優秀な形状の異なる複数の飲口を有する器であり、器の付加価値を高めた優れた商品となる。
【発明を実施するための最良の形態】
【００９１】
以下、本発明の実施の形態を図１〜図１１に基づいて説明する。
【００９２】
図１は本発明の形状の異なる縁状飲口２の従来縁状飲口２ａと平板突片縁状飲口２ｂと半円突片縁状飲口２ｃと波板突片縁状飲口２ｄとを組み合わせて、器１の上縁１１に四等分割所要位置に配設した一例を示す図であり、従来縁状飲口２ａにおいては、器１の外側１０に従来縁状飲口２ａから飲料を飲むのに最適な所要位置で、口唇部の下唇に不快感を与えない所要形状からなる通常は紐状の口唇部位置ガイド１３が下唇状に装設されている。
【００９３】
そして、平板突片縁状飲口２ｂにおいては、口唇部に不快感を与えず器の大きさ等による所要寸法からなり通常は巾１０mm〜４０mm、長さ１０mm〜５０mm、厚さ２mm〜５mmで、所要形状からなる通常は平板片であるが、円盤状片、ハート形片、舌状片等も使用可能の突片１５の平板突片１５ｂを上縁１１より下側に、通常は２mm〜５mmの所要段差２０を設け、平板突片１５ｂを器１の外側１０に向かって所要角度（通常、突片１５の傾斜角度は４５度であるが水平位置から垂直位置まで可能である）の上向きで突設固定し、［００９２］記載の口唇部位置ガイド１３で取付部１７を補強する状態で装設されている。
【００９４】
また、半円突片縁状飲口２ｃにおいては、口唇部に不快感を与えず器１の大きさ等による所要寸法からなり、通常は内径１０ｍｍ~30ｍｍ、長さ１０mm〜５０mm、厚さ２mm〜５mmの所要形状からなる通常は半円状片であるが、U字状片等も使用可能の突片１５の半円突片１５ｃを上縁１１より下側に、通常は半円突片１５ｃの内径だけの段差２０を設け、半円突片１５ｃを器１の外側１０に向かって所要角度の上向きで突設固定し、口唇部位置ガイド１３で取付部１７を補強する状態で装設されている。
【００９５】
また、波板突片縁状飲口２ｄにおいては、口唇部に不快感を与えず器１の大きさ等による所要寸法からなり、通常は内径７mm~15mm、長さ１０mm~50mm、厚さ２mm〜５mmの所要形状からなる通常は半円状片であるが、U字状片等も使用可能の半円突片１５ｄを通常は二個並設するが三個並設も可能で、この半円突片１５ｄを二個並設固定した突片１５の波板突片１５ｄを上縁１１より下側に、通常は波板突片１５ｄの内径だけの段差２０を設け、波板突片１５ｄを器１の外側１０に向かって所要角度の上向きで突設固定し、口唇部位置ガイド１３で取付部１７を補強する状態で装設されている。
【００９６】
尚、形状の異なる縁状飲口２の従来縁状飲口２ａと平板突片縁状飲口２ｂと半円突片縁状飲口２ｃと波板突片縁状飲口２ｄを、器１の大きさ等により二種類から四種類を組み合わせて、器１の上縁１１に等分割所要位置に配設固定して用いる。
【００９７】
次に、図２は本発明の形状の異なる筒状飲口３の一孔筒状３aと二孔筒状飲口３bと三孔筒状飲口３ｃと横長孔筒状飲口３ｄを組み合わせ、中央部所要位置に注入口１４を穿設した零れ防止カバー６の四等分割所要位置に配設固定し、この零れ防止カバー６を上縁１１に冠着固定した一例を示す図である。
【００９８】
そして、器１の飲料が流出する形状が異なる筒状飲口３の一孔筒状飲口３aと二孔筒状飲口３bと三孔筒状飲口３ｃの先端流出孔９及び後記する形状の異なる孔状飲口４の一孔状飲口４ａと二孔状飲口４ｂと三孔状飲口４ｃの流出孔７の形状は、通常は円形であるが、四角形、長方形、楕円形、菱形、ハート形、星形も使用可能である。
【００９９】
また、先端流出孔９及び流出孔７の大きさは、小孔、中孔、大孔があり、器１の大きさ及び使用目的により所要径の大きさの孔を選定使用し、小孔は器１を傾けると先端流出孔９及び流出孔７より流出する大きさで、直径１mm~３mmで、通常は２mmを使用し、中孔は３mm~６mmで、通常は４．５mmを使用し、大孔は６mm~1２mmで、通常は９mmを使用し、孔と孔の間隔は通常は孔の横幅を用いるが使用目的により所要間隔で開けることも可能で、複数孔を使用する時には、通常横に併設するが、縦に併設するのも可能であるのと、小孔、中孔、大孔を組み合わせて使用することも好適な態様である。
【０１００】
また、横長孔筒状飲口３ｄ及び横長孔状飲口４ｄの先端流出孔９及び流出孔７の形状は、通常は横長状楕円形であるが長方形も使用可能であり、孔の大きさは、縦１mm~６mmで横１０mm~４０mmの横長孔を器１の大きさ及び使用目的により所要の大きさの横長孔を選定して使用するが、小孔を５個から７個横長状に並べて使用することも可能である。
【０１０１】
また、形状の異なる筒状飲口３の一孔筒状飲口３ａの筒形状は、通常は所要の円形状中空筒を使用するが、三角形状及び四角形状及び球形状及び楕円形状の中空筒も使用可能であり、二孔筒状飲口３ｂ及び三孔筒状飲口３ｃは、通常は所要の楕円形状中空筒の先端流出孔９の個所で二孔及び三孔にするが、所要の円形状中空筒二併設及び三併設も使用可能であり、横長孔筒状飲口３ｄは、通常所要の薄い楕円形状中空筒を使用するが、所要の薄い長方形状中空筒も使用可能である。
【０１０２】
また、口唇部に不快感を与えず器の大きさ等により［００９８］、［００９９］、［０１００］に記載の所要形状で所要寸法からなる、一孔筒状飲口３ａと二孔筒状飲口３bと三孔筒状飲口３ｃ及び横長孔筒状飲口３ｄを、図２、図３、図４、図６、図８、図９、図１１に示す中央部所要位置に注入口１４を穿設した零れ防止カバー６の四等分割に、所要形状の各流出孔７を器１の上縁１１より内側になる所要位置に穿設し、この各流出孔７に器１の外側１０に向かって所要角度（通常傾斜角度は４５度であるが水平位置から垂直位置まで可能である）の上向きで各流出筒８を突設固定し、［００９２］記載の口唇部位置ガイド１３で各取付部１７を補強する状態で装設した零れ防止カバー６を器１の上縁１１に冠着固定する。
【０１０３】
尚、形状の異なる筒状飲口３の一孔筒状飲口３ａと二孔筒状飲口３ｂと三孔筒状飲口３ｃと横長孔筒状飲口３ｄを、器１の大きさ等により二種類から四種類を組み合わせて、中央部所要位置に注入口１４を穿設した零れ防止カバー６の等分割に、各流出孔７を器１の上縁１１より内側になる所要位置に穿設し、この各流出孔７に器１の外側１０に向かって所要角度の上向きで各流出筒８を突設固定し、［００９２］記載の口唇部位置ガイド１３で各取付部１７を補強する状態で装設した零れ防止カバー６を器１の上縁１１に冠着固定する。
【０１０４】
次に、図３は本発明の形状の異なる孔状飲口４の一孔状飲口４ａと二孔状飲口４ｂと三孔状飲口４ｃと横長孔状飲口４ｄを組み合わせて、中央部所要位置に注入口１４を穿設した零れ防止カバー６の四等分割に、各流出孔７を器１の上縁１１より内側になる所要位置に穿設し、この各流出孔７の周りを囲んだ状態で口唇部位置ガイド１３で周設した零れ防止カバー６を器１の上縁１１に冠着固定した一例を示す図である。
【０１０５】
そして、口唇部に不快感を与えず器の大きさ等により［００９８］、［００９９］、［０１００］に記載の所要形状で所要寸法からなる一孔状飲口４ａと二孔状飲口４ｂと三孔状飲口４ｃと横長孔状飲口４ｄを、中央部所要位置に注入口１４を穿設した零れ防止カバー６の四等分割に、各流出孔７を器１の上縁１１の内側の所要位置に穿設し、この穿設した各流出孔７から飲料を最適に飲むことができ、口唇部に不快感を与えず孔状飲口４の大きさを等により、［００９２］記載の口唇部位置ガイド１３で孔状飲口４の周りを囲んだ状態で周設した零れ防止カバー６を器１の上縁１１に冠着固定する。
【０１０６】
尚、形状の異なる孔状飲口４の一孔状飲口４ａと二孔状飲口４ｂと三孔状飲口４ｃと横長孔状飲口４ｄを、器１の大きさ等により二種類から四種類を組み合わせて、零れ防止カバー６の等分割に各流出孔７を器１の上縁１１より内側になる所要位置に穿設した零れ防止カバー６を器１の上縁１１に冠着固定する。
【０１０７】
次に、図４は本発明の形状の異なる突片孔状飲口５の弓板突片孔状飲口５ａと平板突片孔状飲口５ｂと半円突片孔状飲口５ｃと波板突片孔状飲口５ｄを組み合わせて、中央部所要位置に注入口１４を穿設した零れ防止カバー６の四等分割に、各流出孔７を器１の上縁１１より内側になる所要位置に穿設し、この各流出孔７に器１の外側１０に向かって所要角度の上向きで各突片１５を突設固定し、［００９２］記載の口唇部位置ガイド１３で各取付部１７を補強する状態で装設した零れ防止カバー６を器１の上縁１１に冠着固定した一例を示す図である。
【０１０８】
そして、口唇部に不快感を与えず器の大きさ等により［００９３］、［００９４］、［００９５］に記載の所要形状で所要寸法からなる突片１５の平板突片１５ｂと半円突片１５ｃと波板突片１５ｄと弓板突片１５ａを、中央部所要位置に注入口１４を穿設した零れ防止カバー６の四等分割に、各突片１５を配設する所要形状の流出孔７を器１の上縁１１の内側の所要位置に穿設し、この穿設した流出孔７に平板突片１５ｄと半円突片１５ｃと波板突片１５ｄと弓板突片１５ａを、器１の外側１０に向かって所要角度（通常傾斜角度は４５度であるが水平位置から垂直位置まで可能である）の上向きで突設固定し、［００９２］記載の口唇部位置ガイド１３で各取付部１７を補強する状態で装設し、この零れ防止カバー６を器１の上縁１１に冠着固定する。
【０１０９】
また、弓板突片１５ａにおいては、口唇部に不快感を与えず器の大きさ等による所要寸法からなり、通常は深さ２mm~７mmで、横幅１０mm~４０mm、長さ１０mm~５０mm、厚さ２mm~５mmの所要形状からなる弓状片を用いる。
【０１１０】
尚、形状の異なる突片孔状飲口５の弓板突片孔状飲口１５ａと平板突片孔状飲口１５ｂと半円突片孔状飲口１５ｃと波板突片孔状飲口１５ｄを、器１の大きさ等により二種類から四種類を組み合わせて、零れ防止カバー６の等分割で器１の上縁１１より内側になる所要位置に配設し、この零れ防止カバー６を器１の上縁１１に冠着固定する。
【０１１１】
よって、前記した形状の異なる縁状飲口２の従来縁状飲口２ａと平板縁状飲口２ｂと半円縁状飲口２ｃと波板縁状飲口２ｄ及び形状の異なる筒状飲口３の一孔筒状飲口３ａと二孔筒状飲口３ｂと三孔筒状飲口３ｃと横長孔筒状飲口３ｄ及び形状の異なる孔状飲口４の一孔状飲口４ａと二孔状飲口４ｂと三孔状飲口４ｃと横長孔状飲口４ｄ及び形状の異なる突片孔状飲口５の弓板突片孔状飲口５ａと平板突片孔状飲口５ｂと半円突片孔状飲口５ｃと波板突片孔状飲口５ｄを、器１の大きさ及び使用目的等により二種類から四種類を組み合わせて、注入口１４を設けた零れ防止カバー６及び上縁１１の等分割の所要位置に配設固定して、形状の異なる複数の飲口を有する器を製作する。
【０１１２】
次に、図５は本発明の所要部分切り欠いて注入口１４を設けた零れ防止カバー６に、形状の異なる縁状飲口２の半円突片縁状飲口２ｃと孔状飲口４の二孔状飲口４ｂの二組を組み合わせて、図５、図７、図１０に示す零れ防止カバー６の所要部分を切り欠いた注入口１４の外側１０方向上縁１１に、半円突片縁状飲口２ｃの半円突片１５ｃを器１の上縁１１より外側１０に向かって所要角度の上向きで突設固定し、口唇部位置ガイド１３で取付部１７を補強する状態で装設され、一方対向する位置に二孔状飲口４ｂが、半蓋状態の零れ防止カバー６の二等分割で、器１の上縁１１より内側になる所要位置に穿設し、この零れ防止カバー６を器１の上縁１１に冠着固定した一例を示す図である。
【０１１３】
次に、図６は本発明の形状の異なる筒状飲口３の二孔筒状飲口３ｂと形状の異なる孔状飲口４の横長孔状飲口４ｄと形状の異なる突片孔状飲口５の平板突片孔状飲口５ｂの三組を組み合わせて、中央部所要位置に注入口１４を穿設した零れ防止カバー６の三等分割で、器１の上縁１１より内側になる所要位置に配設し、この零れ防止カバー６を器１の上縁１１に冠着固定した一例を示す図である。
【０１１４】
次に、図７は本発明の所要部分切り欠いて注入口１４を設けた零れ防止カバー６に、形状の異なる縁状飲口２の平板突片縁状飲口２ｂと形状の異なる筒状飲口３の横長孔筒状飲口３ｄと形状の異なる孔状飲口４の三孔状飲口４ｃと形状の異なる突片孔状飲口５の波板突片孔状飲口５ｄの四組を組み合わせ、零れ防止カバー６の四等分割の所要部分を切り欠いた注入口１４の外側１０方向上縁１１に、平板突片縁状飲口２ｂの平板突片１５ｂを、器１の上縁１１に外側１０に向かって所要角度の上向きで突設固定し、一方所要部分切り欠いて注入口１４を設けた零れ防止カバー６の中央部所要位置に注入口１４を穿設した零れ防止カバー６の三等分割所要位置に、形状の異なる筒状飲口３の横長孔筒状飲口３ｄと形状の異なる孔状飲口４の三孔状飲口４ｃと形状の異なる突片孔状飲口５の波板突片孔状飲口５ｄを配設し、この零れ防止カバー６を器１の上縁１１に冠着固定した一例を示す図である。
【０１１５】
次に、図８は本発明の形状の異なる筒状飲口３の横長孔筒状飲口３ｄと形状の異なる孔状飲口４の二孔状飲口４ｂと形状の異なる突片孔状飲口５の弓板突片孔状飲口５ａの三組を組み合わせて、零れ防止カバー６を器１より着脱自在にするための所要の雌螺子部１９ａ（螺子部分は図示せず）を周設し、中央部所要位置に注入口１４を穿設した零れ防止カバー６の三等分割の所要位置に、形状の異なる筒状飲口３の横長孔筒状飲口３ｄと形状の異なる孔状飲口４の二孔状飲口４ｂと形状の異なる突片孔状飲口５の弓板突片孔状飲口５ａを配設し、この零れ防止カバー６を器１より着脱自在にするために、器１の上部外側１０に所要の雄螺子部１９ｂを刻設した一例を示し、矢印で零れ防止カバー６の開け閉めの回転方向及び着脱方向を示した図である。
【０１１６】
次に、図９は本発明の形状の異なる筒状飲口３の一孔筒状飲口３ａと形状の異なる孔状飲口４の横長孔状飲口４ｄの二組を組み合わせて、器１の外側１０より所要部分だけ広くした把手部１８を突設し、中央部所要位置に注入口１４を穿設した零れ防止カバー６の二等分割の所要位置に、形状の異なる筒状飲口３の一孔筒状飲口３ａと形状の異なる孔状飲口４の横長孔状飲口４ｄを配設し、この把手部１８を突設した零れ防止カバー６を器１の上縁１１に冠着固定し、零れ防止カバー６に把手部１８を突設した一例を示す図である。
【０１１７】
次に、図１０は本発明の所要部分切り欠いて注入口１４を設けた零れ防止カバー６に、形状の異なる縁状飲口２の従来縁飲口２ａと形状の異なる筒状飲口３の二孔筒状飲口３ｂの二組を組み合わせて、零れ防止カバー６の所要部分を切り欠いた注入口１４の外側１０に従来縁状飲口２ａを設け、この従来縁状飲口２ａに口唇部を合わせる外側１０の所要位置に口唇部位置ガイド１３が装設され、一方対向する位置に、二孔筒状飲口３ｂが器１の外側１０より所要部分だけ広くした把手部１８を突設した半蓋状態の零れ防止カバー６の二等分割所要位置に配設し、この把手部１８を突設した零れ防止カバー６を器１の上縁１１に冠着固定した一例を示す図である。
【０１１８】
次に、図１１は本発明の形状の異なる筒状飲口３の三孔筒状飲口３ｃと横長孔筒状飲口３ｄの二組を組み合わせて、零れ防止カバー６を器１より着脱自在にするための所要の雌螺子部１９ａ（螺子部分は図示せず）を周設し、中央部所要位置に注入口１４を穿設した零れ防止カバー６の二等分割で流出口７が器１の上縁１１より内側になる所要位置に、形状の異なる筒状飲口３の三孔筒状飲口３ｃと横長孔筒状飲口３ｄを配設し、器１の外側１０より所要部分だけ突出して広くした把手部１８を雌螺子部１９ａに突設して、この零れ防止カバー６を器１より着脱自在にするために、器１の上部外側１０に所要の雄螺子部１９ｂを刻設した一例を示し、矢印で零れ防止カバー６の開け閉めの回転方向及び着脱方向を示した図である。
【０１１９】
尚、図２、図３、図４、図５、図６、図７、図８、図９、図１０、図１１に示す零れ防止カバー６は、器１の大きさ及び使用目的により、所要厚さの平板形状を使用する。
【０１２０】
また、図２、図３、図４、図６、図８、図９、図１１に示す注入口１４は、器１の大きさ及び飲口の種類及び飲口の配設位置等により、所要形状で通常は円形状を用いるが、四角形状、三角形状、ハート形状、扇形状も使用可能な所要大きさの注入口１４を適宜選定して用いるが、図１に示す形状が異なる縁状飲口２を用いる場合には、注入口１４は不要になり、図５、図７、図１０に示す注入口１４は、零れ防止カバー６の所要部分切り欠いて注入口１４として使用するが、この零れ防止カバー６の半蓋状を任意形状の注入口１４として用いることも可能である。
【０１２１】
そして、器１と流出筒８と突片１５と零れ防止カバー６と口唇部位置ガイド１３は、飲料の種類及び使用目的等により、材質は陶磁器製、ガラス製、ステンレス及びアルミニュム等の金属製、プラスチック製、合成ゴム製等を使用し、特に雌螺子部１９ａ及び雄螺子部１９ｂを設ける器１及び零れ防止カバー６にはプラスチック製を用い、材質に対応した最適な方法で製造する。
【図面の簡単な説明】
【０１２２】
【図１】本発明の実施の形態を示す斜視図である。
【図２】本発明の実施の形態を示す斜視図である。
【図３】本発明の実施の形態を示す斜視図である。
【図４】本発明の実施の形態を示す斜視図である。
【図５】本発明の実施の形態を示す斜視図である。
【図６】本発明の実施の形態を示す斜視図である。
【図７】本発明の実施の形態を示す斜視図である。
【図８】本発明の実施の形態を示す斜視図である。
【図９】本発明の実施の形態を示す斜視図である。
【図１０】本発明の実施の形態を示す斜視図である。
【図１１】本発明の実施の形態を示す斜視図である。
【符号の説明】
【０１２３】
１      器
２      縁状飲口
３      筒状飲口
４      孔状飲口
５      突片孔状飲口
６      零れ防止カバー
７      流出孔
【図１】
0005418875.tif 000002
【図２】
0005418875.tif 000003
【図３】
0005418875.tif 000004
【図４】
0005418875.tif 000005
【図５】
0005418875.tif 000006
【図６】
0005418875.tif 000007
【図７】
0005418875.tif 000008
【図８】
0005418875.tif 000009
【図９】
0005418875.tif 000010
【図１０】
0005418875.tif 000011
【図１１】
0005418875.tif 000012